(57)【要約】【課題】デジタルペンを利用したデータ入力処理システムにおいて、ユーザがマニュアルを参照しなくとも、手順に従い帳票などの専用紙に記入することができるシステムを提供する。【解決手段】端末装置３には帳票２の電子フォーム３００が記憶され、電子フォーム３００には、帳票２の記入をナビゲートするためのナビゲート情報３０２が含まれる。端末装置３は、デジタルペン１から送信されたドットパターン情報からユーザが記入している帳票２と記入欄を特定し、ナビゲート情報を参照することで、記入された記入欄の次に記入する記入欄や、次に記入する記入欄の記入方法などが記述されたメッセージをディスプレイ３２に表示する。【選択図】図２
2007226577.tif 000002
【特許請求の範囲】
【請求項１】
デジタルペンを利用したデータ入力処理システムであって、前記デジタルペンと、複数の記入欄が設けられた前記デジタルペンの専用紙と、前記デジタルペンから送信される情報を受信し処理する端末装置とから、少なくとも構成され、前記端末装置は、ユーザに伝達するメッセージを前記専用紙の記入欄ごとに記憶し、前記デジタルペンで記入された前記専用紙の記入欄を特定する手段と、特定した前記専用紙の記入欄に対応する前記メッセージをユーザに伝達する手段を備えていることを特徴とするデータ入力処理システム。
【請求項２】
請求項１に記載のデジタルペンを利用したデータ入力処理システムであって、前記端末装置は、前記専用紙の記入欄に記入された記入内容の検査方法が示された検査規則情報を記憶し、記入された前記専用紙の記入欄に対応する前記検査規則情報を参照し、前記記入内容の不備を検査する手段と、前記記入内容の不備をユーザに伝達する手段を備えていることを特徴とするデータ入力処理システム。
【請求項３】
デジタルペンから送信された情報を処理する端末装置であって、前記端末装置は、前記デジタルペンの専用紙に設けられた記入欄ごとに、ユーザに伝達するメッセージを記憶し、前記デジタルペンで記入された前記記入欄を特定する手段と、特定した前記専用紙の記入欄に対応する前記メッセージをユーザに伝達する手段を備えていることを特徴とする端末装置。
【請求項４】
請求項３に記載の端末装置であって、前記端末装置は、前記専用紙の記入欄に記入された記入内容の検査方法が示された検査規則情報を記憶し、記入された前記専用紙の記入欄に対応する前記検査規則情報を参照し、前記記入内容の不備を検査する手段と、前記記入内容の不備をユーザに伝達する手段を備えていることを特徴とする端末装置。
【請求項５】
デジタルペンから送信された情報を処理する端末装置に実装されるコンピュータプログラムであって、前記デジタルペンの専用紙に設けられ、前記デジタルペンで記入された前記専用紙の記入欄を特定する手段と、記憶されたメッセージの中から、特定した前記専用紙の記入欄に対応する前記メッセージをユーザに伝達する手段として、前記端末装置を機能させるためのコンピュータプログラム。
【請求項６】
請求項５に記載されたコンピュータプログラムにおいて、前記デジタルペンの前記専用紙の記入欄に記入された記入内容の検査方法が示された検査規則情報を参照し、前記記入内容の不備を検査する手段と、前記記入内容の不備をユーザに伝達する手段として、前記端末装置を機能させるためのコンピュータプログラム。
【発明の詳細な説明】
【技術分野】
【０００１】
本発明は、デジタルペンを利用したデータ入力処理システム、データ入力処理システムの端末装置およびコンピュータに関する。
【背景技術】
【０００２】
デジタル情報社会の到来により、紙媒体に記載された文字情報をデジタル情報に変換しコンピュータで利用する技術が要求されている。紙媒体に記載された文字情報をデジタル化する技術の一つとしては、手書きや印刷された文字情報をスキャナで読み取り文字認識するＯＣＲが有名であるが、スキャナを使用することなく「ペンと紙」で書いたアナログ情報をデジタル情報に変換し利用するデジタルペンもすでに開発されている（特許文献１）。
【０００３】
特許文献１で開示されているデジタルペンは、ドットパターンが印刷された専用紙に手書きしたときのデジタルペンの軌跡を示すストローク情報をメモリに記憶し、ブルートゥースやＵＳＢなどの通信手段でコンピュータ装置にこのストローク情報を伝送する。そして、コンピュータは、デジタルペンから送信されたストローク情報を文字認識することで、手書きされた文字情報などをデジタル化し利用する。
【０００４】
上述したデジタルペンを利用することで、キーボードやマウスに不慣れな人であっても、コンピュータへの入力が容易に行えるばかりか、既存の帳票をベースとした業務への展開が容易、かつ、業務の効率化を図ることができる。
【０００５】
しかし、デジタルペンと電子フォームを組み合せたシステムでは、電子フォームでは定められた規則に従い必要な事項を正しい順序で入力する必要があるため、ユーザが帳票などの専用紙に記入する際は、ユーザは記入方法のマニュアルや説明が必要となってしまう。
【０００６】
帳票などの専用紙の種類が少ない場合は、記入方法を記した一つのマニュアルを用意すればこと足りるが、種類が多い場合は、マニュアルの管理も面倒になるし、帳票などの専用紙の仕様が変更された場合には、その都度、マニュアルを用意しなければならない。
【特許文献１】特表２００３−５００７７７号公報
【発明の開示】
【発明が解決しようとする課題】
【０００７】
上述した課題を鑑みて、本発明は、デジタルペンを利用したデータ入力処理システムにおいて、帳票などの専用紙にユーザがデジタルペンを利用して記入する際に、ユーザがマニュアルなどを参照しなくとも、手順に従い帳票などの専用紙に記入することができるシステム、端末装置および端末装置にインストールされるコンピュータプログラムを提供することを目的とする。
【課題を解決するための手段】
【０００８】
上述した課題を解決する第１の発明は、デジタルペンを利用したデータ入力処理システムであって、前記デジタルペンと、複数の記入欄が設けられた前記デジタルペンの専用紙と、前記デジタルペンから送信される情報を受信し処理する端末装置とから、少なくとも構成され、前記端末装置は、ユーザに伝達するメッセージを前記専用紙の記入欄ごとに記憶し、前記デジタルペンで記入された前記専用紙の記入欄を特定する手段と、特定した前記専用紙の記入欄に対応する前記メッセージをユーザに伝達する手段を備えていることを特徴とする。
【０００９】
更に、第２の発明は、第１の発明に記載のデジタルペンを利用したデータ入力処理システムであって、前記端末装置は、前記専用紙の記入欄に記入された記入内容の検査方法が示された検査規則情報を記憶し、記入された前記専用紙の記入欄に対応する前記検査規則情報を参照し、前記記入内容の不備を検査する手段と、前記記入内容の不備をユーザに伝達する手段を備えていることを特徴とする。
【００１０】
更に、第３の発明は、デジタルペンから送信された情報を処理する端末装置であって、前記端末装置は、前記デジタルペンの専用紙に設けられた記入欄ごとに、ユーザに伝達するメッセージを記憶し、前記デジタルペンで記入された前記記入欄を特定する手段と、特定した前記専用紙の記入欄に対応する前記メッセージをユーザに伝達する手段を備えていることを特徴とする。
【００１１】
更に、第４の発明は、第３の発明に記載の端末装置であって、前記端末装置は、前記専用紙の記入欄に記入された記入内容の検査方法が示された検査規則情報を記憶し、記入された前記専用紙の記入欄に対応する前記検査規則情報を参照し、前記記入内容の不備を検査する手段と、前記記入内容の不備をユーザに伝達する手段を備えていることを特徴とする。
【００１２】
更に、第５の発明は、デジタルペンから送信された情報を処理する端末装置に実装されるコンピュータプログラムであって、前記デジタルペンの専用紙に設けられ、前記デジタルペンで記入された前記専用紙の記入欄を特定する手段と、記憶されたメッセージの中から、特定した前記専用紙の記入欄に対応する前記メッセージをユーザに伝達する手段として、前記端末装置を機能させるためのコンピュータプログラムである。
【００１３】
更に、第６の発明は、第５の発明に記載されたコンピュータプログラムにおいて、前記デジタルペンの前記専用紙の記入欄に記入された記入内容の検査方法が示された検査規則情報を参照し、前記記入内容の不備を検査する手段と、前記記入内容の不備をユーザに伝達する手段として、前記端末装置を機能させるためのコンピュータプログラムである。
【発明の効果】
【００１４】
上述した本発明によれば、端末装置がデジタルペンで記入された記入欄を特定し、次に記入すべき記入欄やこの記入欄の記入方法をメッセージでユーザに伝達することで、ユーザが帳票を記入するときに、ユーザはマニュアルを参照する必要がなくなるばかりか、ユーザの記入ミスや記入漏れを事前に防ぐことができる。
【００１５】
また、ユーザの記入ミスや記入漏れがあった場合にリアルタイムで、記入ミスや記入漏れの内容などをユーザに伝達することで、記入情報を処理する前に、速やかに記入ミスや記入漏れを修正するごとができるため、業務の効率化が図れる。
【発明を実施するための最良の形態】
【００１６】
ここから、本発明に係るデータ入力処理システムについて図を参照しながら詳細に説明する。図１は、デジタルペンを利用したデータ入力処理システムの構成を示した図である。
【００１７】
図１に示したように、デジタルペン１を利用したデータ入力処理システムは、デジタルペン１と、デジタルペン１と組み合わされて使用され、デジタルペン１の専用紙である帳票２と、デジタルペン１から無線通信で伝送される情報を処理する端末装置３とから構成される。
【００１８】
図１において端末装置３は１台のコンピュータで構成されているかのように図示されているが、ネットワークを介して接続されたサーバクライアントシステムのように、端末装置３は、サーバやネットワーク端末など複数台のコンピュータで構成されていてもよい。
【００１９】
本実施の形態において、デジタルペン１はＡｎｏｔｏ社製を利用し、ユーザが記入する帳票２もＡｎｏｔｏ社製のデジタルペンに対応する専用紙である。本実施の形態においてデジタルペン１をＡｎｏｔｏ社製としているのは、本発明のデジタルペン１に必要な機能をＡｎｏｔｏ社製のデジタルペン１が備えているからである。当然のことながら、本発明のデジタルペン１の機能を実現できれば他社製でもよい。
【００２０】
端末装置３は、ユーザにメッセージを伝達する手段としてディスプレイ３２とスピーカ３３を備え、帳票２に対応する電子フォーム３００を記憶している。電子フォーム３００とはコンピュータを利用して従来の紙の帳票２を実現するツールで、ブラウザなどに表示された帳票２のイメージに、コンピュータに接続可能なデータ入力機器を利用して情報が入力されるものである。
【００２１】
本発明においては、デジタルペン１は電子フォーム３００のデータ入力機器として利用され、ユーザがデジタルペン１で帳票２に記入したデータが、デジタルペン１を介して端末装置３の電子フォーム３００に入力される。
【００２２】
帳票２はＡｎｏｔｏ社製仕様のデジタルペンの専用紙で、帳票２には細かなドットパターンが印刷され、このドットパターンで帳票２の座標が示されている。デジタルペン１はこのドットパターンを読取ることで、ユーザが帳票２に記入している箇所の座標を示すドットパターン情報を取得する。デジタルペン１が取得したドットパターン情報から、デジタルペン１で記入されている帳票や帳票上の記入欄が特定できる。
【００２３】
また、デジタルペン１は、読取ったドットパターンからデジタルペン１の軌跡を演算することで、ユーザが帳票２に記入したときのデジタルペン１の軌跡であるストローク情報を取得する。デジタルペン１が取得したストローク情報を文字認識することで、帳票２に記入された文字を特定できる。そして、デジタルペン１が取得したドットパターン情報やストローク情報は無線通信で端末装置３に伝送される。
【００２４】
端末装置３には帳票２に対応する電子フォーム３００が記憶され、本発明において、帳票２に対応する電子フォーム３００は、帳票２のイメージ情報などに加えて、帳票２の記入方法や記入上の規則をナビゲートするためのナビゲート情報を有している。
【００２５】
入力開始時に端末装置３は、端末装置３がデジタルペン１から、ドットパターン情報を受信すると、ドットパターン情報で特定される帳票２に対応する電子フォーム３００を呼出し、帳票２のイメージ情報をディスプレイに表示する。また、入力中に端末装置３は、デジタルペン１から送信されたドットパターン情報からユーザが記入している記入欄を特定し、ナビゲート情報を参照することで得られるメッセージをディスプレイに表示する。
【００２６】
更に、端末装置３は、デジタルペン１から送信されたストローク情報を解析することで、ユーザが記入した文字情報を取得する。そして、ナビゲート情報を参照し、ユーザの記入ミスや記入漏れがある場合は、リアルタイムで、記入ミスや記入漏れの内容などをディスプレイに表示し、速やかに記入ミスや記入漏れの修正をユーザに促す。
【００２７】
ユーザが記入する記入欄の記入方法をリアルタイムでユーザに伝達することで、ユーザの記入ミスや記入漏れを事前に防ぐことができるばかりか、ユーザが帳票２を記入するときに、記入例や記入マニュアルを用意することはなくなる。
【００２８】
また、ユーザの記入ミスや記入漏れがあった場合にリアルタイムで、記入ミスや記入漏れの内容などをディスプレイに表示することで、帳票２に記入した情報を処理する前に、速やかに記入ミスや記入漏れを修正するごとができるため、処理業務の効率化が図れる。
【００２９】
デジタルペンを利用した入力処理システムについて詳細に説明する。図２は、デジタルペンを利用した入力処理システムのブロック図である。
【００３０】
「デジタルペンおよび帳票の説明」
ここからデジタルペン１と帳票２について説明する。図３は帳票２の一例を示した図、図４は帳票２に印刷されたドットパターンを説明する図である。
【００３１】
図３に示したように、帳票２には複数の記入欄が赤外線吸収性を有しないインキ（例えば、プロセスカラーのインキ）で印刷され、更に、カーボンを含んだ赤外線吸収性を有する特殊インキなどでドットパターンが印刷されている。
【００３２】
図４（ａ）に示したように、カーボンを含んだ特殊インキを用いて、格子状のドットパターンが帳票２に印刷されている。ドットパターンの各ドットは、格子状の交点において上下左右のいずれかの方向に微妙にずれた状態で配置される。図４（ｂ）に示したように、ドットの配置位置は意味を持ち、一つのドットで２2通りを表現することができる。
【００３３】
実際には、ドットパターンは、６ドット×６ドットの面積を一単位として読取られ、一単位で一つの座標を表している。上述したように、一つのドットで２2通りを表現することができるので、３６個のドットすべてで２72通りの座標を表現することができる。
【００３４】
この６ドット×６ドットの組み合わせを全て網羅できる面積は、非常に膨大な面積になるため、この膨大の面積の一部分を帳票２に割当て、割当てられた部分には帳票３ごとに固有の識別番号が割り振られる。よって、端末装置３が、帳票２に割り当てられたドットパターンとその識別番号とを記憶していれば、帳票２上のドットパターンを読取ることで、ユーザが記入した帳票２の識別が可能になる。
【００３５】
また、上述したように、帳票２全体でドットパターンはすべて異なることになるため、デジタルペン１で記入したときのドットパターンさえ分かれば、帳票２上の記入された座標が分かり、ユーザが記入している記入欄を特定できる。
【００３６】
更に、ユーザがデジタルペン１で記入しているときに、デジタルペン１が高速（５０回〜１００回／秒）でこのドットパターンを撮像し、撮像したドットパターンから得られるドットパターン情報を解析することで、デジタルペン１の軌跡であるストローク情報を取得できる。端末装置３は、このストローク情報をＯＣＲなどの技術を利用して解析することで、ユーザが記入した文字情報を取得することができる。
【００３７】
図２に示したように、デジタルペン１には、従来のペンとして機能するボールペン部１４に加え、デジタルペン１として機能するために、帳票２上に印刷されたドットパターンを読取る手段であるカメラ１１と、端末装置３と無線通信するための手段である無線通信手段１２と、ボールペン部１４のペン先に加わる圧力を計測するための筆圧センサ１３と、デジタルペン１に電力を供給するためバッテリー１５と、画像処理などの行うためのイメージプロセッサ１０を備えている。
【００３８】
帳票２上に印刷されたドットパターンを読取る手段であるカメラ１１は光源と光学系を備えている。上述しているように、ドットパターンは、カーボンを含んだ特殊インキで帳票２上に印刷されているため、カメラ１１が赤外線を利用し帳票２上を撮像することで、カメラ１１は帳票２上のドットパターンだけを認識することができる。
【００３９】
デジタルペン１に備えられた無線通信手段１２は、パーソナルコンピュータ用の無線通信手段であればよく、Ａｎｏｔｏ社製のデジタルペン１で無線通信手段１２はブルートゥースである。当然のことながら、無線通信手段１２はブルートゥース以外の手段、例えば、ＺｉｇＢｅｅや赤外線通信でもよく、更には、ＵＳＢなど有線で通信を行う手段であっても構わない。
【００４０】
筆圧センサ１３は、ユーザがデジタルペン１により帳票２上に文字などを書く際、ボールペン部１４の先端に加わる圧力すなわち筆圧を検出し、イメージプロセッサ１０へ供給する手段である。イメージプロセッサ１０は筆圧センサ１３から送信される信号を参照することで、ボールペン部１４のペン先が帳票２に接した状態（＝記入している状態）であるか、接していない状態（＝記入していない状態）であるか判断できる。
【００４１】
画像処理を行うイメージプロセッサ１０はメモリを備え、ボールペン部１４のペン先が帳票２に接した状態であるときに、カメラ１１が高速（５０回〜１００回／秒）で撮像したドットパターンから、ドットパターン情報とストローク情報を取得しメモリに記憶する。そして、本実施の形態では、帳票２に印刷された送信マーク（図４のマーク）をデジタルペン１でチェックしたときに、メモリに記憶したドットパターン情報とストローク情報がデジタルペン１から端末装置３に伝送される。
【００４２】
「端末装置の説明」
図２に示したように端末装置３には、デジタルペン１と無線通信するための無線通信手段３１と、情報を記憶するための手段である情報記憶装置３４と、視覚的に情報を伝達する手段であるディスプレイ３２と、音声で情報を伝達するための手段であるスピーカ３３と、端末装置３全体を制御するための制御手段３０とを備えている。
【００４３】
デジタルペン１と無線通信するための無線通信手段３１は、デジタルペン１に備えられた無線通信手段１２と同じ仕様の手段である。視覚的に情報を伝達する手段であるディスプレイ３２と、音声で情報を伝達するための手段であるスピーカ３３は、一般的なものであるため説明は省く。
【００４４】
情報記憶手段３４とは大容量の情報を記憶できるハードディスクなどで実現され、この情報記憶手段３４には、少なくとも、帳票２に割り振られたドットパターンを示すパターン情報３１０、ユーザが記入欄に入力した文字情報を検査する内容が記述された検査規則情報３２０、および、電子フォーム３００とが記憶される。
【００４５】
電子フォーム３００は、帳票２のイメージ情報３０１と帳票２の記入方法をナビゲートするためのナビゲート情報３０２とが含まれる。イメージ情報３０１とは、図３で示した帳票２のイメージを端末装置３のディスプレイ３２に出力するための情報である。また、ナビゲート情報３０２とは、ユーザに伝達するメッセージなどが記憶された情報である。
【００４６】
図５はナビゲート情報３０２を説明する図である。図５に示したように、ナビゲート情報３０２には、記入欄を特定するため情報として、記入欄の枠の左上隅と右下隅のドットパターン情報と、ユーザが記入欄に記入した後にユーザに対して提示される情報として、記入方法に関する内容が記述されたメッセージと、ユーザが記入欄に記入した記入内容を検査するときに適用する検査規則を示す検査規則ＩＤとが、記入欄ごとに記憶されている。なお、ナビゲート情報３０２に記憶する記入方法に関するメッセージとしては、記入した記入欄の次に記入する記入欄を示す情報と、次に記入する記入欄の記入方法が望ましい。
【００４７】
図６は検査規則情報を説明する図である。図６に示したように、検査規則情報は、検査規則ＩＤに関連付けられて、ストローク情報を解析することで得られるユーザが記入欄に記入した文字情報と検査規則とを対応付けて記憶される。
【００４８】
例えば、図３で示した帳票２において、ユーザが記入日を記入したときは、検査規則ＩＤが「１」の検査規則が適用され、ユーザが記入した記入日と実際に日付が照合される。なお、図６においては検査規則の内容を便宜上文書で記載している。実際は、検査規則は、検査規則の内容を実現するためのモジュールが記憶される。
【００４９】
端末装置３の制御手段３０は、コンピュータのマザーボードのようにＣＰＵとメモリなどから構成され、さらにＣＰＵを動作させるためのプログラムも実装されている。
【００５０】
制御手段３０はデータ入力処理の一連の処理を制御する手段で、デジタルペン１から送信されるドットパターン情報からユーザが記入した記入欄を特定した後、ナビゲート情報３０２を参照し、ディスプレイ３２やスピーカ３３を用いて、ユーザが記入した記入欄に設定されているメッセージをユーザに伝達する機能、ストローク情報を文字認識する機能、認識した文字情報を検査規則ＩＤで特定される検査規則情報３２０に従い検査する機能を備えている。
【００５１】
ここから、本発明に係る端末装置３の動作手順について説明する。図７は、端末装置３の動作手順を示したフロー図である。この手順の最初のステップＳ１０は、端末装置３がデジタルペン１からドットパターン情報とストローク情報とを受信するステップである。
【００５２】
このステップにおいて、ユーザが帳票２の記入欄にデジタルペン１を用いて記入すると、デジタルペン１が帳票２に印刷されたドットパターンを読取り、ドットパターン情報とストローク情報を取得し、端末装置３は無線通信でこれらの情報をデジタルペン１から受信する。
【００５３】
次のステップＳ１１は、ユーザが記入している帳票２を端末装置３が特定するステップである。このステップでは、端末装置３の制御手段３０が情報記憶手段３４に記憶されたパターン情報３１０を参照し、ステップＳ１０で取得したドットパターン情報が含まれる帳票２を検索することで、ユーザが記入している帳票２を特定する。
【００５４】
なお、初回にこのステップが実行されたときは、端末装置１１の制御手段３０は、特定した帳票２の電子フォーム３００に含まれるイメージ情報３０１をディスプレイ３２に出力し、ディスプレイ３２に帳票２のイメージが表示される。
【００５５】
次のステップＳ１２は、ユーザが記入している帳票２の記入欄を端末装置３の制御手段３０が特定するステップである。このステップでは、制御手段３０は、ステップＳ１１で特定した帳票２のナビゲート情報３０２の中で設定されている記入欄の中から、ステップＳ１０で取得したドットパターン情報が含まれる記入欄を特定する。
【００５６】
次のステップＳ１３は、文字認識を行いユーザが記入した内容を端末装置３が取得するステップである。このステップでは、ステップＳ１０で取得したストローク情報を文字認識することで、ユーザが記入した記入内容を端末装置３は取得する。なお、制御手段３０が備える文字認識の機能は、一般的なＯＣＲの技術で実現できるため詳細は記載しない。
【００５７】
次のステップＳ１４は、ユーザが記入した記入内容を端末装置３の制御手段３０が検査するステップである。このステップでは、ナビゲート情報３０２で示され、ステップＳ１２で特定した記入欄に設定された検査規則に従い、ステップＳ１３で取得した記入内容を検査し、すなわち、検査規則する実行するモジュールを呼出し、記入内容に誤りがあれば、誤りを示すメッセージを送信しステップＳ１０に戻り、誤りが無ければステップＳ１５に進む。
【００５８】
ステップＳ１５は、制御手段３０が記入方法に関するメッセージを出力するステップである。このステップでは、制御手段３０はナビゲート情報３０２を参照し、ステップＳ１２で特定した記入欄に、ユーザに記入方法に関するメッセージが設置されていれば、そのメッセージをディスプレイなどでユーザに伝達する。
【００５９】
次のステップＳ１６は、ユーザの記入が終了であるか確認するステップである。このステップで、端末装置３の制御手段３０は未記入の欄がないか確認するなどし、ユーザの記入が終了したか確認する。終了であった場合はこの手順を終了し、終了しない場合はステップに戻る。
【００６０】
図８は、記入方法が伝達される状況を説明する図である。図７に示したように、ユーザが帳票２の一つの記入欄に記入するごとに、ナビゲート情報３０２に記憶されたメッセージがディスプレイ３２やスピーカ３３によって伝達され、このメッセージによって、ユーザが次に記入する記入欄が示される。
【００６１】
また、検査規則情報に従い記入内容を検査し、記入ミスが見つかった場合は、記入ミスの内容がディスプレイ３２やスピーカ３３によって伝達される。例えば、図６の検査規則情報（ＩＤ＝２）に従い郵便番号と住所の一致を検査した結果、郵便番号と住所が不一致であるときには、郵便番号と住所表示が不一致であることを示すメッセージが表示される。
【００６２】
なお、上述しているように、端末装置３は１台のコンピュータで必ずしも構成されていなくてもよい。例えば、端末装置３は、ネットワーク端末とネットワークを介して接続されたデータベースサーバで構成することもできる。この場合、電子フォーム３００などを記憶する情報記憶手段３４の機能をデータベースサーバが担い、情報記憶手段３４以外の手段の機能はネットワーク端末が担う。
【図面の簡単な説明】
【００６３】
【図１】デジタルペンを利用したデータ入力処理システムの構成を示した図。
【図２】デジタルペンを利用したデータ入力処理システムのブロック図。
【図３】帳票の一例を示した図。
【図４】帳票に印刷されたドットパターンを説明する図。
【図５】ナビゲート情報を説明する図。
【図６】検査規則情報を説明する図。
【図７】端末装置の動作手順を示したフロー図。
【図８】記入方法が伝達される状況を説明する図。
【符号の説明】
【００６４】
１  デジタルペン
２  帳票
３  端末装置
３０  制御手段
３１  無線通信手段
３２  ディスプレイ
３３  スピーカ
３４  情報記憶手段
３００  電子フォーム
３０１  イメージ情報
３０２  ナビゲート情報
３１０  パターン情報
３２０  検査規則情報
【図１】
2007226577.tif 000003
【図２】
2007226577.tif 000004
【図３】
2007226577.tif 000005
【図４】
2007226577.tif 000006
【図５】
2007226577.tif 000007
【図６】
2007226577.tif 000008
【図７】
2007226577.tif 000009
【図８】
2007226577.tif 000010